(57)【要約】価格を高価にするリソースを有利な形式でライセンス負担が低減又は軽減されたシステムモジュール内に組み込むことによって、外部の保護権所有者の全体的なライセンス数が減少されるように、複雑で高価値の総合システムの機能ユニットを複数のシステムモジュールに分割する。
2004538587.tif 000002
【特許請求の範囲】
【請求項１】
デバイスモジュールのアセンブリであって、
ａ）コストの観点で見て機能的に最小化されたデバイスの機能特徴を実現する第１のデバイスモジュール（ＧＭ１）と、
ｂ）前記第１のデバイスモジュールの機能的拡張を実現する第２のデバイスモジュール（ＧＭ２）又はその他のデバイスモジュール（ＧＭ３，…，ＧＭｎ）と、
を有しており、これらのデバイスモジュールが、適当な機械的及び／又は情報技術的なインターフェース（ＩＦ）によって互いに接続されるようになっていることを特徴とする、デバイスモジュールのアセンブリ。
【請求項２】
デバイスモジュールを、操作が容易でコンパクトな１つのデバイスにまとめることができる機械的なインターフェースが設けられている、請求項１記載のデバイスモジュールのアセンブリ。
【請求項３】
少なくとも１つのデバイスモジュールが、別のモジュールと協働することなしに作動される、単独で製品化され得る製品である、請求項１又は２記載のデバイスモジュールのアセンブリ。
【請求項４】
情報技術的なインターフェースが設けられており、該インターフェースを介して、制御情報、状態情報及び／又はセレクト情報が伝達される、請求項１から３までのいずれか１項記載のデバイスモジュールのアセンブリ。
【請求項５】
デバイスを製造又は販売するための方法であって、この場合、デバイスモジュールを製造又は販売する方法において、
ａ）第１のデバイスモジュール（ＧＭ１）が、コストの観点で見て機能的に最小化されたデバイスの機能的特徴を実現するようにし、
ｂ）第２のデバイスモジュール（ＧＭ２）又はその他のデバイスモジュール（ＧＭ３，…，ＧＭｎ）が、第１のデバイスモジュールの機能的な拡張を実現するようにし、
これらのデバイスモジュールを、適当な機械的及び／又は情報技術的なインターフェース（ＩＦ）によって互いに接続する、
ことを特徴とする、デバイスを製造又は販売するための方法。
【請求項６】
情報技術及び／又は通信技術のシステムを製造又は販売するための方法であって、価格を高価にするリソースを有利な形式でライセンス負担が低減又は軽減されたシステムモジュール内に組み込むことによって、外部の保護権所有者の全体的なライセンスの数が減少させるように、複雑で高価値な総合システムの機能ユニットを複数のシステムモジュールに分割する、ことを特徴とする、情報技術及び／又は通信技術のシステムを製造又は販売するための方法。
【発明の詳細な説明】
【技術分野】
【０００１】
特に新世代型の移動式無線製品は、種々異なる保護権所有者の高いライセンス要求によって非常に高い費用がかかる。このようなライセンスコストは一般的には製品の販売価格の利益率から見積もられる。利益率は、各製品が適合する通信規格（例えばＧＳＭ，ＩＳ９５−ＣＤＭＡその他）に対応している。
【０００２】
従ってしばしば、通信規格とは関係のない製品部分（例えばバッテリー、ディスプレーその他）のための、取り分に応じたライセンスコストが計算されることになる。またマルチモード移動通信デバイス、つまり１つ以上の通信規格（例えばＤＥＣＴ及びＧＳＭ）に同時に対応しているデバイスにおいては、このデバイスは製品の構成部分であるので、モジュールはライセンス義務のある規格ではないにも拘わらず、ライセンス義務のある規格のライセンスコストの負担がかかることになる。
【０００３】
そこで本発明の課題は、情報技術的及び／又は通信技術的なデバイス、つまり移動通信デバイスのライセンスコストを技術的な手段によってできるだけ低く抑えることである。
【０００４】
この課題は、特許請求の範囲に記載した請求項のいずれか１項に記載した装置若しくは方法によって解決される。
【０００５】
以下に本発明を、図面に示した有利な実施例を用いて具体的に説明する。
【０００６】
本発明によれば、第１のデバイスモジュール（ＧＭ１）を備えたデバイスモジュールのアセンブリが設けられている。第１のデバイスモジュール（ＧＭ１）はコストの観点から見て最小限にされたデバイスの機能的特徴を実現する。適当な機械的及び／又は情報技術的なインターフェース（ＩＦ）を介して、第２の又はそれ以上のデバイスモジュール（ＧＭ２，…，ＧＭｎ）が互いに接続され、かつ／又は第１のデバイスモジュールと接続され、この場合、第２のデバイスモジュール及び／又はそれ以上のデバイスモジュールは、第１のデバイスモジュールの機能的拡張を実現する。
【０００７】
第１のデバイスモジュールは例えば、次のような特徴を有する最小−移動電話（Ｍｉｎｉｍａｌ−Ｍｏｂｉｌｔｅｌｅｆｏｎ）である。
【０００８】
・１つ（例えばＵＭＴＳ）又は複数（例えばＵＭＴＳ、ＧＳＭ）の移動通信規格に従って作業する。
【０００９】
・最小−移動電話は、オン・オフするための１つの可能性を有しているだけであり、その他の操作可能性、特に「セレクト」するための可能性、つまり加入者番号を入力又は選択するための可能性その他、又はディスプレーは省略されている。スイッチオンされると、所定の電話番号、例えば非常呼び出し電話番号だけが選択される。
【００１０】
・最小−移動電話が別のデバイスと共にスイッチオン、結合又は接続される１つのインターフェースを有している。この別のデバイスは例えばいわゆるパーソナルデジタルアシスタント（ＰＤＡ：個人情報端末）又はコンピュータ（ノートブック、ラップトップ）であってよい。このデバイスから若しくはこのデバイスによって、最小電話は次のように制御若しくは操作される。つまり、機能的に高価値の移動電話のその他の機能若しくは全機能が実現されるように、例えば任意に選択可能な電話番号、受け入れた接続の処理、正当性の検査、運転状態の表示その他のためのセレクト情報の入力又は選択が実現されるように、制御又は操作される。
【００１１】
このような形式の最小電話は、大抵のライセンス契約を満たす「電話」である。従ってライセンス費用はこのようなデバイスモジュールのためだけに発生する。このようなデバイスモジュールはコストの観点から見て最適であるので、つまり機能的に最小化されているので、その製造コストは最も安価である。従ってこのデバイスモジュールを最小限の費用で市販することができる。従ってこの第１のデバイスモジュールによる製造者及び販売者の売り上げは、情報及び通信技術の従来のデバイス、つまり例えば完全な又は広範囲の機能性を有する移動通信デバイスと比較して非常に少なくなる。このことはつまり、支払われるべきライセンス費用は相応に低減されるか、又はいずれにしても、機能的に最小化されたデバイスモジュールの代わりに広範囲な機能性を有するデバイス全体がライセンス費用を高くする原因となっている場合におけるよりも、著しく安価である。
【００１２】
本発明の有利な実施例によれば、デバイスモジュールを、操作が容易である１つのコンパクトなデバイスにまとめることができる機械的なインターフェースが設けられている。
【００１３】
このためにモジュールの機械的な構造は有利な形式で、形成されたデバイス全体つまり１つにまとめられたモジュールは、コンパクトで、操作する人にとって操作し易いものであるように、組み立てられる。
【００１４】
図１には概略的に本発明によるデバイスモジュールのアセンブリの有利な実施例が示されている。
【００１５】
第１のデバイスモジュール（ＧＭ１又はＭＴ）、最小電話は、オン・オフするための操作エレメント（ＥＫ，ＡＫ）と、アンテナ（ＡＴ）と、場合によってはヘッドセット（ヘッドホン）のための接続ジャック（ＢＨ）とを有している。さらにこの第１のデバイスモジュールを第２のデバイスモジュール（ＧＭ２又はＰＤＡ）に接続するための装置（ＤＦ）が設けられている。この実施例では第２のデバイスモジュールはＰＤＡ（個人情報端末）である。ＰＤＡは、ディスプレー（Ｄ）と、場合によってはヘッドセット（Ｈ）を接続するための固有の接続ジャック（ＤＨ）とを有しており、この接続ジャック（ＤＨ）は、ＰＤＡを第１のデバイスモジュール（最小電話）なしで作動したい場合に必要である。ＰＤＡはさらに、第１のデバイスモジュールに接続するための機械的なインターフェース（ＤＡＭ）を有している。このインターフェース（ＤＡＭ）は、この実施例では最小電話をＰＤＡのハウジング内に収納するための開口として構成されている。
【００１６】
この開口内に、電気的又はオプト−エレクトロニクス的或いはその他の情報技術的又は通信技術的なデバイスが配置されている。これらのデバイスは、ＰＤＡを最小電話に接続するための情報技術的なインターフェースを形成している。
【００１７】
図２に示されているように、デバイスモジュール間のインターフェースは純粋に情報技術的なナチュラルなもの、例えばデバイスモジュール間の、有利には「短い受信範囲の」無線インターフェース（ＦＳ）として構成されている。このためには、例えば公知のブルートゥース（Ｂｌｕｅｔｏｏｔｈ）テクノロジーが適しているが、（短い受信範囲の）無線インターフェースを構成するための、当業者に公知であるその他の多くの規格、プロトコル及びテクノロジーも適している。このために、デバイスモジュールには、情報を無線で伝達するためのデバイス（ＩＢＭ、ＩＲＭ）がそれぞれ適している。勿論その他の無線技術、例えば赤外線伝送、磁気誘導その他を使用することもできる。この解決策（実施例）においては、デバイスモジュールの物理的（機械的）な組み付けは省かれる。このデバイスモジュールは、デバイス全体に対して十分な物理的近接性を与えることによってデバイス全体に簡単に組み付けることができる。
【００１８】
本発明の別の有利な実施例によれば、少なくとも１つのデバイスモジュールは単独で商品化可能な製品である。このような手段によって、最小の取り扱い可能なユニットの価格は、この最小の取り扱い可能なユニットが１つ以上のデバイスモジュールを有することによって、不必要に高くなることはない。
【００１９】
本発明の別の有利な実施例によれば、制御情報、状態情報及び／又は、デバイスモジュール間の選択情報を伝達するための情報技術的なインターフェースが得られる。このような手段によって、デバイスモジュールを接続することによって種々異なる形式で、種々異なる特徴を有する構造及び数、機能的なデバイス例えば操作エレメント、オン・オフ装置、メモリー装置、無線伝達装置その他を、使用者によって、それぞれの一時的な使用要求に最適な形式で適合されたいわゆる「オーダーメードの」デバイスに組み立てることができる。このデバイスはそれぞれ必要とされる機能範囲を実現し、この場合、最小のコストで製造することができる。
【００２０】
デバイスモジュールが、使用するためには保護権所有者にライセンス費用を支払う必要がある保護権の対象を使用する場合、支払うべきライセンス税の金額を計算するためには、このデバイスモジュールによるデバイス製造業者の売り上げを根拠として用いるだけでよい。これによって、各ライセンス税が軽減され、ひいてはデバイスモジュールの各アセンブリの全ライセンス負担は、同じ効率及び同じ機能範囲を有する従来のデバイスと比べて軽減される。
【００２１】
本発明の別の有利な実施例によれば、ＳＩＭカード（ＳＩＭ＝Ｓｕｂｓｃｒｉｂｅｒ  Ｉｄｅｎｔｉｔｙ  Ｍｏｄｕｌｅ）は必ずしも第１のデバイスモジュール（最小電話）に組み込む必要はなく、その代わりに、例えば最小電話の使用者が外部から呼び出されることが、最小電話によって要求されない場合には、別のモジュールのうちの１つに組み込まれるか又は交換可能に組み込まれる。
【００２２】
ライセンス義務のある製品特徴を有するデバイスのコストを著しく高くするプロセッサは、有利な形式でデバイスモジュールに組み込まれ、このデバイスモジュールは、ライセンス義務のあるデバイスモジュールを最小にするために、保護された特徴をまったく有していないか又はできるだけわずかしか有していない。移動電話モジュールは規則的に少なくとも１つの電話通信規格に適合させる必要があり、移動電話モジュールの前記特徴はしばしば特許又はその他の保護権によって保護されているので、多くの場合、コストを高くする構造部分例えばプロセッサ及びこれと類似の装置を移動電話モジュールに組み込まずに、コストを高くするこれらの構造部分を、できるだけライセンス負担のかからない別のデバイスモジュールに組み替えるようにすれば有利である。
【００２３】
どのデバイスモジュールにプロセッサ又はその他の装置（リソース）が組み込まれているかとは無関係に、この装置は、インターフェースが相応の情報、及びデバイスモジュール間の命令を伝達するためだけに適し、設計されている限りは、デバイスモジュール間の情報技術的なインターフェースの適した構成において、すべてのデバイスモジュールによって一様に利用することができる。
【００２４】
次いで例えばデバイスモジュール内に組み込まれたプロセッサは別のデバイスモジュールを、適当なソフトウエアを用いて、接続されたデバイスのアセンブリが高価値の移動無線端末デバイスのすべての機能を満たすように制御される。
【００２５】
別のモジュールは、物理的（機械的）に、最小電話のハウジング内に組み込まれるように構成することができる。しかしながらそれとは異なり、最小電話は、別のデバイスモジュール（図１に示したような）のハウジング内に組み込まれたモジュールであってもよい。
【００２６】
従って別の場合において、種々異なる移動無線規格又はその他の通信規格に適合した多くの無線モジュール（最小電話）も、別のデバイスに接続されるか、若しくは別のデバイスのハウジング内に物理的に組み込んで、マルチモード移動無線電話を得ることができる。組み込まれたデバイスは、例えば共通の操作面、入力・出力デバイス及び共通の電源を提供することができる。この電源は、コスト的に見て最小限にされた、最小移動電話の個別の電源よりも高性能である。
【００２７】
従って例えば高価値のバッテリー又は高価値で非常に高性能の蓄電池、高価値のディスプレー及び高価値の入力可能性を有するＰＤＡを、機械的にハウジング開口として構成された本発明によるインターフェースを介して、１つ又は複数の最小電話内に挿入することができ、このような形式で１つの高価値の移動電話に拡大することができる。デバイスモジュールをインターフェースに接続若しくは挿入することによって、基本的なデバイスモジュールの電源を高価値のＰＤＡの電源に切換えることができる。
【００２８】
本発明の説明に記載した以上のすべての実施例は、有利な形式で互いに組み合わせることができることは勿論である。
【００２９】
例として挙げた以上の説明によって、本発明がその他の多くの形式でも実現できることは当業者にとって自明である。本発明の基本的考え方、即ち複雑で高価値な総合システムの機能ユニットを複数のシステムモジュールに分割し、この場合、価格を高価にするリソースが有利にはライセンス負担の低減又は軽減されたデバイスモジュール内に組み込まれることによって、必要とされる全体的なライセンス数が減少されるようにする、という本発明の基本的考え方は、本発明のすべての実施例において意図するところである。本発明のすべての実施例は、図面の表現性に基づいて恐らく明りょうに説明されてはいないが、図示の実施例に基づいて当業者が容易に実施可能である。
【図面の簡単な説明】
【００３０】
【図１】本発明によるデバイスモジュールのアセンブリの有利な実施例の概略的な斜視図である。
【００３１】
【図２】本発明の別の実施例によるデバイスモジュールのアセンブリの有利な実施例の概略的な斜視図である。
【国際公開パンフレット】
2004538587.tif 000003
2004538587.tif 000004
2004538587.tif 000005
2004538587.tif 000006
2004538587.tif 000007
2004538587.tif 000008
2004538587.tif 000009
2004538587.tif 000010
2004538587.tif 000011
2004538587.tif 000012
2004538587.tif 000013
2004538587.tif 000014
2004538587.tif 000015
2004538587.tif 000016
【手続補正書】
【提出日】平成15年6月25日(2003.6.25)
【手続補正１】
【補正対象書類名】特許請求の範囲
【補正対象項目名】請求項１
【補正方法】変更
【補正の内容】
【請求項１】
デバイスモジュールのアセンブリであって、
ａ）コストの観点で見て機能的に最小化されたデバイスの機能特徴を実現する第１のデバイスモジュール（ＧＭ１）と、
ｂ）前記第１のデバイスモジュールの機能的拡張を実現する第２のデバイスモジュール（ＧＭ２）又はその他のデバイスモジュール（ＧＭ３，…，ＧＭｎ）と、
を有しており、これらのデバイスモジュールが、適当な機械的及び／又は情報技術的なインターフェース（ＩＦ）によって互いに接続されるようになっており、
この場合、価格を高価にするリソースが有利な形式でライセンス負担の低減又は軽減されたシステムモジュール内に組み込まれることによって、外部の保護権所有者の全体的なライセンスの数が減少させるように、複雑で高価値な総合システムの機能ユニットが複数のシステムモジュールに分割される、ことを特徴とする、デバイスモジュールのアセンブリ。
【国際調査報告】
2004538587.tif 000017
2004538587.tif 000018
2004538587.tif 000019
2004538587.tif 000020